(57)【要約】【課題】本発明は、寒冷地用養生シートに関し、従来の養生シートにおける外部足場とシートとの繋着構造では隙間風の侵入が多く、寒冷地の作業環境に適さないことが課題であって、それを解決することである。        【解決手段】建物の外周壁に沿って外部足場と共に設けられ該外部足場の支柱に繋着される複数のシートから成る養生シートであって、当該養生シートにおける開口部５には、該開口部の上辺のみ一体的に接続して左右側辺と下辺を縁切りして開閉可能な開口部用養生シート６があり、前記開口部用養生シートは、前記左右の側辺において開閉用の開閉手段７が全長に亘って設けられ、シート中部に透明若しくは半透明のシートによって窓部１３が形成されてなり、前記開口部用養生シートの上位置のシートには、前記開口部の開口時に巻き上げられた前記開口部用養生シートを結束する結束用の係止具と紐手段とが設けられている寒冷地用養生シート１とする。【選択図】図２
2011153486.tif 000002
【特許請求の範囲】
【請求項１】
建物の外周壁に沿って外部足場と共に設けられ該外部足場の支柱に繋着される複数のシートから成る養生シートであって、
当該養生シートにおける開口部には、該開口部の上辺のみ一体的に接続して左右側辺と下辺を縁切りして開閉可能な開口部用養生シートがあり、
前記開口部用養生シートは、前記左右の側辺において開閉用の開閉手段が全長に亘って設けられ、シート中部に透明若しくは半透明のシートによって窓部が形成されてなり、
前記開口部用養生シートの上位置のシートには、前記開口部の開口時に巻き上げられた前記開口部用養生シートを結束する結束用の係止具と紐手段とが設けられていること、
を特徴とする寒冷地用養生シート。
【請求項２】
開閉手段は、ファスナー、若しくは、直線状のガイド体をシート端部の内部に有した面状ファスナーであること、
を特徴とする請求項１に記載の寒冷地用養生シート。
【請求項３】
養生シートは防炎シートであること、
を特徴とする請求項１または２に記載の寒冷地用養生シート。
【請求項４】
開口部用養生シートの少なくとも外側面に階数表示用ポケットが設けられていること、
を特徴とする請求項１乃至３のいずれかに記載の寒冷地用養生シート。
【発明の詳細な説明】
【技術分野】
【０００１】
本発明は、寒冷地用養生シートに係るものであり、詳しくは寒冷地において防風・防寒養生用に開閉可能な出入り口用のシートに関するものである。
【背景技術】
【０００２】
従来、建築工事用の養生シートとして、特許文献１に記載のような、粗目織編物の表面が着色熱可塑性樹脂で被覆されてなる網目シートの片方の表面のみに透明フィルムが熱溶着積層一体化されている、耐候性・透光性に優れたシートが知られている。この養生シートにより、紫外線による劣化や水の浸透、機械的損傷から保護される低コスト且つ軽量化されて、建築工事用に適したシートとなる。
【先行技術文献】
【特許文献】
【０００３】
【特許文献１】実開平０６−７１１２８号公報
【発明の概要】
【発明が解決しようとする課題】
【０００４】
しかし、従来の建築用養生シートにおいては、寒冷地において使用する条件に適用させるために、シート自体の改良の他にも強風や防寒の対策も十分な対策が必要である。即ち、図６に示すように、外部足場３に取り付けられた養生シート２０ｂにおける、冬季間の出入口５の養生は、資材などを建物内へ搬入するために開閉式シートにしていて、その開閉シートの構造は建地間に横架されるワイヤーと該ワイヤーに嵌合させたリングと該リングに繋着されるシート２０ａとの組合せによるスライド式シート構造２０である。外部足場３の建地とシート２０ａとは適宜間隔で紐によって結ばれているだけなので、隙間が多く強風や防寒の対策としては不十分である。本発明に係る寒冷地用養生シートは、このような課題を解決するために提案されたものである。
【課題を解決するための手段】
【０００５】
本発明に係る寒冷地用養生シートの上記課題を解決して目的を達成するための要旨は、
また、建物の外周壁に沿って外部足場と共に設けられ該外部足場の支柱に繋着される複数のシートから成る養生シートであって、当該養生シートにおける開口部には、該開口部の上辺のみ一体的に接続して左右側辺と下辺を縁切りして開閉可能な開口部用養生シートがあり、前記開口部用養生シートは、前記左右の側辺において開閉用の開閉手段が全長に亘って設けられ、シート中部に透明若しくは半透明のシートによって窓部が形成されてなり、前記開口部用養生シートの上位置のシートには、前記開口部の開口時に巻き上げられた前記開口部用養生シートを結束する結束用の係止具と紐手段とが設けられていることである。
【０００６】
前記開閉手段は、ファスナー、若しくは、直線状のガイド体をシート端部の内部に有した面状ファスナーであること、；また、前記養生シートは防炎シートであること、；更に、前記開口部用養生シートの少なくとも外側面に階数表示用ポケットが設けられていることを含むものである。
【発明の効果】
【０００７】
本発明の寒冷地用養生シートによれば、資材の搬入用に開閉可能であって便宜であり、且つ、ファスナー等の開閉手段により気密性が維持されて、隙間風を防ぐので防風・防雪および断熱に効果的な養生シートになる。更に、養生シートの開閉が容易であるので採暖養生の際の熱損失を最小限に抑えることができる。
前記シートは、例えば、高強力ポリエステル糸使用の基布に塩ビ樹脂をコート等を施した防炎シートであって、耐候性・防水性に優れている。
また、明かり取り兼用の確認窓を設けてあるので、荷揚げ用エレベータ前に開口部を設ければ、資材などの荷物が到着したことが目視で確認できる。更に、階数表示用ポケットが少なくとも開口部用養生シートの外側面に有るので、目的の階数であることを確認することができるので、行き先を間違えることが防止される、と言う数々の優れた効果を奏するものである。
【図面の簡単な説明】
【０００８】
【図１】本発明に係る寒冷地用養生シート１の概略構成を示す正面図（Ａ）と、平面図（Ｂ）とである。
【図２】同本発明の寒冷地用養生シート１の開口部の養生シート２を示す一部拡大正面図である。
【図３】養生シート２における開閉手段７の他の実施例を示す一部拡大斜視図である。
【図４】開口部の養生シート２を開けたときのシート維持する方法を示す斜視図（Ａ）とその一部拡大断面図（Ｂ）である。
【図５】開口部の養生シート２を開けたときのシート維持する方法を示す斜視図（Ａ）とその一部拡大断面図（Ｂ）である。
【図６】従来例に係る外部足場における開口部の開閉方式を示す概略正面図である。
【発明を実施するための形態】
【０００９】
本発明に係る寒冷地用養生シート１は、図１に示すように、建物２の外周壁２ａに沿って、外部足場３と共に設けられ該外部足場３の支柱（建地）８に紐などで繋着される複数のシート４から成る養生シートである。このシート４は、例えば、高強力ポリエステル糸使用の基布に塩ビ樹脂をコート等を施した防炎シートである。前記シート４の隣接する端部同士は、隙間風を防ぐために、端部におけるハトメ同士を重ねて、紐の間隔も短くして繋着させるものである。
【００１０】
前記養生シート１おける開口部５には、図２に示すように、該開口部５の上辺５ａのみ一体的に接続して左右側辺５ｂ，５ｃと下辺５ｄを縁切りして開閉可能な開口部用養生シート６がある。
【００１１】
この開口部５は、例えば、建築工事における資材搬入用のロングスパン（５〜６ｍ程度）のエレベータ１１を設ける場合に、そのエレベータステージの位置に設けられる開口部である。なお、符号１１ａは、エレベータ用のレール受建枠を示している。また、開口部５の内側に、図１（Ａ）に示すように、スライドゲート１２が設けられている。
【００１２】
前記開口部用養生シート６は、前記左右の側辺５ｂ，５ｃにおいて開閉用の開閉手段７が全長に亘って設けられている。この開閉手段７としては、気密性に優れたテント用ファスナーであったりする。
【００１３】
または、前記開閉手段７は、他の実施例として、図３に示すように、直線状で剛直なガイド体９をシート端部４ａに形成された袋部４ｂの内部に有した面状ファスナー１０ａ，この面状ファスナー１０ａの位置に対応した位置にして設けられる開口部用養生シート６の内側縁部に貼着した面状ファスナー１０ｂ（いわゆるマジックテープ（登録商標））であったりするものである。前記シート端部４ａは、上下方向に適宜間隔で設けられたハトメ８ｂを通して支柱（建地）８に縛り付けた紐８ａによって取着されている。
【００１４】
図２に示すように、前記開口部用養生シート６におけるシート中部に、透明若しくは半透明のシートによって窓部１３が形成されている。これにより、建物の中にいる作業員も外の様子が判り、エレベータ１１が該作業員の階に到着したことを事前に知ることができる。
【００１５】
前記開口部用養生シート６の上位置のシート４には、図４（Ａ），（Ｂ）に示すように、前記開口部５の開口時に外側で丸めるように巻き上げられた前記開口部用養生シート６を結束する結束用の係止具１４と紐手段（リボン）１５とが設けられている。開口部用養生シート６を巻き上げて、その位置で維持するものである。
【００１６】
前記係止具１４は、例えば四角い金属製リング等である。紐１５の片方を内側から外側の係止具１４に通し、その先を他の紐１５の端部と結ぶものである。なお、この紐１５の結び目１５ａを作る際に、その紐１５を縛る位置が高いと背の低い人にとっては作業性に影響することもあり、そこで、図５に示すような他の実施例を提案する。
【００１７】
図５（Ａ），（Ｂ）に示すように、寒冷地での紐結び目を作る作業を簡易にするため、端部に棒状体（バー型ボタン）１７を有する紐１６ａと、端部に輪１６ｂを有する紐１６ｃを、開口部用養生シート６の内側と外側とに前記紐１６ａ，１６ｃのそれぞれの一端部を固定して取り付けておく。そして、図５（Ｂ）に示すように、開口部用養生シート６を巻き上げて、前記輪１６ｂに棒状体１７を貫通させて通す。それにより、棒状体１７が前記輪１６ｂに引っかかり、容易に紐１６ａ，１６ｃを係合することができる。これならば、大きな掛けボタン式であるので誰にでも  容易に結束作業を行えるようになる。このほか、前記開口部用養生シート６を巻き上げる方法として、ロールスクリーン用の巻上げ紐を適用することもできる。
【００１８】
前記開口部用養生シート６の少なくとも外側面に階数表示用ポケット１８が設けられている。このポケットに、各階を表示する番号札を入れておくものである。このポケット１８は、開口部用養生シート６の内外面両方に設けても良い。外側では、エレベータ１１の作業員が資材搬入先の階数を取り違えることが無く、内側では作業員が自分の居る階を勘違いしないように防止できる。
【００１９】
このような寒冷地用養生シート１であるので、寒冷地における新築の建物等を構築する際に、冷たい風や雪の侵入を防ぎ、断熱性が良好に維持され、採光の点においても窓から明かり取りが可能となって視認性が向上し、荷取りステージのみならず作業所の出入口にも採用できる。
【産業上の利用可能性】
【００２０】
本発明の寒冷地用養生シート１は、作業所の出入口やその他の臨時ので入口において、開閉自在なシートとして採用できるものである。
【符号の説明】
【００２１】
１          寒冷地用養生シート、
２          建物、                    ２ａ          外周壁、
３          外部足場、
４          シート、                  ４ａ          シート端部、
５          開口部、                  ５ａ          上辺、
５ｂ，５ｃ  側辺、                    ５ｄ          下辺、  
６          開口部用養生シート、
７          開閉手段、
８          支柱（建地）、            ８ａ          紐、
８ｂ        ハトメ、
９          ガイド体、
１０ａ，１０ｂ        面状ファスナー、    
１１        エレベータ、
１２        スライドゲート、                                  
１３        窓部、
１４        係止具、
１５        紐手段、                      １５ａ        結び目、
１６ａ      紐、                          １６ｂ        輪、
１６ｃ      紐、
１７        棒状体（バー型リボン）、
１８        階数表示用ポケット。
【図１】
2011153486.tif 000003
【図２】
2011153486.tif 000004
【図３】
2011153486.tif 000005
【図４】
2011153486.tif 000006
【図５】
2011153486.tif 000007
【図６】
2011153486.tif 000008